(57)【要約】【課題】通信相手の施設にＧＰＳ機能を要せずに記憶手段を持たせた条件下であっても、施設の正しい情報の取得及び更新を効率化できる携帯端末を提供すること。【解決手段】この携帯端末１１は、所定の通信範囲内での送受信機能を持つ無線通信手段、施設情報を識別可能に記憶する記憶手段を有して施設に設置される施設装置１２と、施設装置１２の施設情報を含む電子地図を管理する電子地図管理装置１３との間で無線通信可能であって、施設装置１２との距離が通信範囲内のときに自機器の現在の位置情報（ＧＰＳ機能を備える他機器から取得）を施設装置１２へ送信する位置情報送信手段と、自機器の現在の位置情報を施設装置１２における無線通信手段が受信して記憶手段に記憶してから無線通信手段が送信した施設情報を取得する施設情報取得手段と、施設情報取得手段で取得した施設情報の登録要求を電子地図管理装置１３へ送信する登録要求送信手段と、を備える。【選択図】図１
2018097113.tif 000002
【特許請求の範囲】
【請求項１】
施設に設置されて施設情報を識別可能に記憶する施設装置と、前記施設装置における前記施設情報を含む電子地図を管理する電子地図管理装置との間で無線通信可能な携帯端末であって、
前記施設装置との距離が所定の通信範囲にあるときに当該携帯端末の現在の位置情報を当該施設装置へ送信する位置情報送信手段と、
当該携帯端末の現在の位置情報を受信した前記施設装置から送信される前記施設情報を取得する施設情報取得手段と、
前記施設情報取得手段で取得した前記施設情報の登録要求を前記電子地図管理装置へ送信する登録要求送信手段と、を備えたことを特徴とする携帯端末。
【請求項２】
前記位置情報送信手段は、前記施設装置との距離が前記所定の通信範囲にあるときに前記施設装置から発信される接近通知に基づいて当該携帯端末の現在の位置情報を当該施設装置へ送信することを特徴とする請求項１記載の携帯端末。
【請求項３】
前記施設装置は、前記施設情報を識別可能に記憶する記憶手段を有し、前記位置情報送信手段からの前記携帯端末の現在の位置情報の受信に基づき、当該位置情報を記憶することを特徴とする請求項１記載の携帯端末。
【請求項４】
前記登録要求送信手段による前記施設情報の登録要求後に前記電子地図管理装置から当該施設情報を含む前記電子地図を転送保存して表示画面上に表示する制御を行う表示制御手段を備えたことを特徴とする請求項１記載の携帯端末。
【請求項５】
施設に設置されて施設情報を識別可能に記憶する施設装置と、前記施設装置における前記施設情報を含む電子地図を管理する電子地図管理装置との間で無線通信可能な携帯端末と、を備えた通信システムであって、
前記携帯端末は、
前記施設装置との距離が所定の通信範囲にあるときに当該携帯端末の現在の位置情報を当該施設装置へ送信する位置情報送信手段と、
当該携帯端末の現在の位置情報を受信した前記施設装置から送信される前記施設情報を取得する施設情報取得手段と、
前記施設情報取得手段で取得した前記施設情報の登録要求を前記電子地図管理装置へ送信する登録要求送信手段と、を備え、
前記施設装置は、前記施設情報を識別可能に記憶する記憶手段を有し、前記位置情報送信手段からの前記携帯端末の現在の位置情報の受信に基づき、当該位置情報を記憶することを特徴とする通信システム。
【請求項６】
施設に設置されて施設情報を識別可能に記憶する施設装置と、前記施設装置における前記施設情報を含む電子地図を管理する電子地図管理装置との間で無線通信可能な携帯端末で実行される通信情報処理方法であって、
前記施設装置との距離が所定の通信範囲にあるときに当該携帯端末の現在の位置情報を当該施設装置へ送信する位置情報送信ステップと、
当該携帯端末の現在の位置情報を受信した前記施設装置から送信される前記施設情報を取得する施設情報取得ステップと、
前記施設情報取得ステップで取得した前記施設情報の登録要求を前記電子地図管理装置へ送信する登録要求送信ステップと、を有することを特徴とする通信情報処理方法。
【請求項７】
前記位置情報送信ステップでは、前記施設装置との距離が前記所定の通信範囲にあるときに前記施設装置から発信される接近通知に基づいて当該携帯端末の現在の位置情報を当該施設装置へ送信することを特徴とする請求項６記載の通信情報処理方法。
【請求項８】
施設装置に備えた前記施設情報を識別可能に記憶する記憶手段により、前記位置情報送信ステップでの前記携帯端末の現在の位置情報の受信に基づき、当該位置情報を記憶する記憶ステップを有することを特徴とする請求項６記載の通信情報処理方法。
【請求項９】
携帯端末に備えた表示制御手段により、前記登録要求送信ステップでの前記施設情報の登録要求後に前記電子地図管理装置から当該施設情報を含む前記電子地図を転送保存して表示画面上に表示する制御を行う表示制御ステップを有することを特徴とする請求項６〜８の何れか１項記載の通信情報処理方法。
【請求項１０】
施設に設置されて施設情報を識別可能に記憶する施設装置と、前記施設装置における前記施設情報を含む電子地図を管理する電子地図管理装置との間で無線通信可能な携帯端末に、
前記施設装置との距離が所定の通信範囲にあるときに当該携帯端末の現在の位置情報を当該施設装置へ送信する位置情報送信ステップと、
当該携帯端末の現在の位置情報を受信した前記施設装置から送信される前記施設情報を取得する施設情報取得ステップと、
前記施設情報取得ステップで取得した前記施設情報の登録要求を前記電子地図管理装置へ送信する登録要求送信ステップと、
前記登録要求送信ステップでの前記施設情報の登録要求後に前記電子地図管理装置から当該施設情報を含む前記電子地図を転送保存して表示画面上に表示する制御を行う表示制御ステップと、
を実行させるためのプログラム。
【発明の詳細な説明】
【技術分野】
【０００１】
本発明は、携帯端末、通信システム、通信情報処理方法、及びプログラムに関する。
【背景技術】
【０００２】
従来、移動体無線通信の分野では、スマートフォンやタブレット等の携帯端末の普及に伴い、電子地図を配布するサービスが広く利用されている。この電子地図の配布は、一つの地域にある道、公園、駅等の公共施設の場所を公表することを目的とし、その地域の地図を作成して電子データ化したものである。また、携帯端末を使用するユーザから自らの施設や店舗の位置・評価等、配布された電子地図に存在しない情報を登録することで、電子地図に或る情報を追加することもできる。こうした技術は、成熟なウェブサービスとして既に知られている。更に、ＧＰＳ（Ｇｌｏｂａｌ  Ｐｏｓｉｔｉｏｎｉｎｇ  Ｓｙｓｔｅｍ）機能を備えた携帯電話機等の携帯端末も普及している。
【０００３】
こうした携帯端末のサービスに係る周知技術として、ＧＰＳ機能を使用しなくとも、また、ＧＰＳ機能を備えていなくとも、通信料金を不要として、自己位置を推定可能とする「携帯端末及び位置情報交換システム」（特許文献１参照）が挙げられる。
【発明の概要】
【発明が解決しようとする課題】
【０００４】
上述した特許文献１に係る技術は、ＧＰＳ機能を備えている或る携帯電話機から取得した自己位置の位置情報や位置精度情報に基づいて他の携帯電話機が位置情報を交換し、自己位置とその位置精度を算出し、自己位置を推定するものである。
【０００５】
ところが、特許文献１に係る技術によれば、ＧＰＳ機能を備えた携帯端末から取得した自己位置の位置情報や位置精度情報に基づいて他の携帯端末が自己位置の推定することはできても、電子地図に最新の情報を反映し難いという問題がある。即ち、今までの電子地図への情報追加では、どのような情報を追加するのはユーザに依存しており、ユーザの注目度合いによって登録の数が多いところ、少ないところが出ることになり、追加される情報に偏りが存在する。
【０００６】
例えば施設として注目され易い店舗に関する情報が増える一方、公衆便所のような施設は注目されないために情報が集まり難い。このような注目されない施設情報は、その土地に馴染みのない人に対しては貴重な情報であるが、事前に自ら情報を登録しない限り利用できない。それ故、電子地図における「有効な施設情報を提供」という本来の価値は発揮できない。更に、拠点が一定ではない施設の場合、位置情報の登録・更新が煩雑であり、地図に最新の情報を反映し難い。こうした面を総合すれば、現行の電子地図において、必要な施設の最新情報を反映するのに手間がかかり、施設の正しい情報の取得及び更新を効率化できないという問題がある。
【０００７】
本発明は、このような問題点を解決すべくなされたもので、その技術的課題は、通信相手の施設にＧＰＳ機能を要せずに記憶手段を持たせた条件下であっても、施設の正しい情報の取得及び更新を効率化できる携帯端末、通信システム、通信情報処理方法、及びプログラムを提供することにある。
【課題を解決するための手段】
【０００８】
上記技術的課題を達成するため、本発明は、施設に設置されて施設情報を識別可能に記憶する施設装置と、施設装置における施設情報を含む電子地図を管理する電子地図管理装置との間で無線通信可能な携帯端末であって、施設装置との距離が所定の通信範囲にあるときに当該携帯端末の現在の位置情報を当該施設装置へ送信する位置情報送信手段と、当該携帯端末の現在の位置情報を受信した施設装置から送信される施設情報を取得する施設情報取得手段と、施設情報取得手段で取得した施設情報の登録要求を電子地図管理装置へ送信する登録要求送信手段と、を備えたことを特徴とする。
【発明の効果】
【０００９】
本発明によれば、上記構成により、通信相手の施設にＧＰＳ機能を要せずに記憶手段を持たせた条件下であっても、施設の正しい情報の取得及び更新を効率化できるようになる。上記した以外の課題、構成及び効果は、以下の実施の形態の説明により明らかにされる。
【図面の簡単な説明】
【００１０】
【図１】本発明の実施例に係る携帯端末を備えた通信システムの概略構成を通信フローを含めて示した図である。
【図２】図１に示す通信システムに備えられる施設装置に係る施設情報のデータ構成を示す図である。
【図３】図２に示す施設装置の基本構成を示す機能ブロック図である。
【図４】図１に示す通信システムに備えられる携帯端末に係る端末情報のデータ構成を示す図である。
【図５】図４に示す携帯端末の基本構成を示す機能ブロック図である。
【図６】図１に示す通信システムに備えられる電子地図管理装置に係る電子地図情報のデータ構成を示す図である。
【図７】図６に示す電子地図管理装置の基本構成を示す機能ブロック図である。
【図８】図１に示す通信システムにおける各部間の通信シーケンスを示す図である。
【図９】図１に示す通信システムに備えられる携帯端末の表示画面上に表示される施設装置の施設固有情報と施設位置情報とが反映される前の電子地図を例示した図である。
【図１０】図１に示す通信システムに備えられる携帯端末の表示画面上に表示される施設装置の施設固有情報と施設位置情報とが反映された後の電子地図を例示した図である。
【図１１】上述した施設装置、携帯端末、電子地図管理装置のハードウェア構成を示す概略ブロック図である。
【発明を実施するための形態】
【００１１】
以下、本発明の携帯端末、通信システム、通信情報処理方法、及びプログラムについて、以下に実施例を挙げ、図面を参照して詳細に説明する。
【実施例】
【００１２】
図１は、本発明の実施例に係る携帯端末１１を備えた通信システムの概略構成を通信フローを含めて示した図である。
【００１３】
図１を参照すれば、この通信システムは、所定の通信範囲での送受信機能を持つ無線通信手段、並びに施設情報を識別可能に記憶する記憶手段を有して施設に設置される施設装置１２を備えることを前提とする。この他、通信システムは、施設装置１２における施設情報を含む電子地図を管理する電子地図管理装置１３と、登録者となるユーザが携帯し、施設装置１２及び電子地図管理装置１３の間で無線通信可能な携帯端末１１と、を備えて構成される。
【００１４】
このうち、携帯端末１１は、位置情報送信手段、施設情報取得手段、登録要求送信手段、及び表示制御手段を備え、特許文献１の場合と同様にＧＰＳ機能を備える任意な他機器から取得した位置情報や位置精度情報に基づいて自己の位置情報を推定する機能を持つ。位置情報送信手段は、施設装置１２との距離が所定の通信範囲にあるときに自機器（以下も同様であるように携帯端末１１自体を示す）の現在の位置情報を施設装置１２へ送信する。施設情報取得手段は、自機器の現在の位置情報を施設装置１２における無線通信手段が受信して記憶手段に記憶してから無線通信手段が送信した施設情報を取得する。登録要求送信手段は、施設情報取得手段で取得した施設情報の登録要求を電子地図管理装置１３へ送信する。表示制御手段は、登録要求送信手段による施設情報の登録要求後に電子地図管理装置１３から施設情報を含む電子地図を転送保存（ダウンロード）して表示画面上に表示する制御を行う。
【００１５】
また、位置情報送信手段は、施設装置１２との距離が所定の通信範囲にあるときに無線通信手段から発信される接近通知に基づいて自機器の現在の位置情報を施設装置１２へ送信する。位置情報送信手段が自機器の現在の位置情報を施設装置１２へ送信することにより、施設装置１２における無線通信手段での受信、並びに記憶手段での自機器の現在の位置情報を施設情報に含まれる自装置の施設位置情報とした上での更新可能な記憶が行われることになる。
【００１６】
即ち、実施例に係る通信システムでは、ユーザがシステム対応のアプリケーションのソフトウェア（以下、単にアプリケーションと呼ぶ）がインストールされた携帯端末１１を携帯して持ち歩くことを前提とする。また、施設装置１２には、携帯端末１１との間で通信可能なブルートゥース（登録商標）、Ｗｉ−ｆｉ（登録商標）、ＮＦＣ（登録商標）等を利用可能な近距離無線通信機能が備えられていることを前提とする。こうした前提条件下で、ユーザが或る施設装置１２に接近した際、携帯端末１１が施設装置１２に設置される無線通信手段からの接近通知を感知すると、ＧＰＳ情報の入った現在の位置情報を施設装置１２に送信する。尚、携帯端末１１では、アプリケーションにより接近通知を感知した後、情報提供を拒否するか否かの設定を行うことができる他、接近通知をユーザに通知するか否かの設定を行うことができる。
【００１７】
施設装置１２では、無線通信手段で受信した携帯端末１１のＧＰＳ情報の入った最新の位置情報を施設情報に含まれる自装置の施設位置情報として記憶手段に記憶し、それ以前に保持していた施設位置情報を更新する。尚、施設装置１２は、携帯端末１１のＧＰＳ情報の入った最新の位置情報を既に保持していれば、携帯端末１１への位置情報の要請である無線通信手段からの接近通知を省略するか否かの設定を行うことができる。また、施設装置１２は、携帯端末１１から複数の位置情報を受信した場合、より精度の良い位置情報を計算して決定することができる。
【００１８】
その後、施設装置１２は自装置が持つ施設情報である施設固有情報と施設位置情報とを無線通信手段により携帯端末１１に送信する。施設装置１２の無線通信手段から施設固有情報と施設位置情報とを受信した携帯端末１１は、電子地図の情報と照合し、受信した施設情報を電子地図上で更新することができる。そのときの様子は携帯端末１１の表示画面上で確認することができる。尚、携帯端末１１は、アプリケーションにより施設情報を既に保持していれば、再度施設情報を取得して保持している施設情報を自動的に更新するか否かの設定を行うことができる。また、携帯端末１１は、アプリケーションにより施設情報を電子地図情報上で更新する際、更新する情報と更新しない情報とを設定することができる他、施設情報を電子地図情報上で更新するか否かの設定を行うことができる。更に、携帯端末１１は、アプリケーションにより保持する施設装置１２に該当する存在を確認できなければ、電子地図情報上でその施設情報の削除を要請することができる。加えて、携帯端末１１は、アプリケーションにより表示画面に表示する電子地図情報を常に電子地図管理装置１３から即時に転送保存するか否かの設定を行うことができる。その他、携帯端末１１は、アプリケーションにより一定時間で保持する情報を全てクリアするか否かの設定やそのときの時間設定を行うことができる。
【００１９】
また、携帯端末１１は、電子地図管理装置１３へ施設情報の登録要求を送信する。これにより、電子地図管理装置１３では電子地図情報上で施設情報の更新が行われる。この結果、携帯端末１１の通信相手の施設装置１２にＧＰＳ機能を持たない記憶手段を持たせた条件下であっても、施設装置１２の正しい情報の取得及び更新を効率化できるようになる。更に、ユーザが携帯端末１１を持ち歩いて施設装置１２を利用する都度、その施設装置１２の施設情報が自動的に電子地図管理装置１３の電子地図情報上で更新されることになる。尚、電子地図管理装置１３は、電子地図情報が更新される頻度により施設装置１２の注目度を計算した結果に基づいて優先的に表示できる地図サービス機能を設定できる他、この地図サービス機能を使用するか否かを設定することができる。
【００２０】
図２は、上述した通信システムに備えられる施設装置１２の施設情報のデータ構成を示す図である。図２を参照すれば、施設装置１２で扱われる施設情報は、施設装置１２の位置情報を競合させないための識別子データである施設装置ＩＤ１２ａを含んでいる。また、施設情報は、施設の名称、用途、開放時間、開放対象、キャパシティ等の施設装置１２のデータである施設固有情報１２ｂを含んでいる。但し、これらの開示した項目に制限されず、施設管理者により項目の追加と選択とが可能なものである。更に、施設情報は、施設の所在位置とその位置の精度データとを示す施設位置情報１２ｃを含んでいる。
【００２１】
図３は、上述した施設装置１２の基本構成を示す機能ブロック図である。図３を参照すれば、施設装置１２は、機能ブロック上でセンサ部１２１、通信部１２２、及び記憶部１２３を備えて構成される。施設装置１２は、携帯端末１１の接近を感知したときの携帯端末１１への通知送信、携帯端末１１からの位置情報の受信、並びに保持した自装置の施設情報の携帯端末１１への送信を行う機能を持つ。このうち、センサ部１２１は、携帯端末１１の接近を感知したときに携帯端末１１への通知送信を行う機能を持つ。通信部１２２は、上述した無線通信手段に該当し、携帯端末１１からの現在の位置情報を受信したり、或いは上述した記憶手段に該当する記憶部１２３に記憶された施設情報を電子地図管理装置１３へ送信する機能を持つ。記憶部１２３は、上述した施設情報に係る施設装置ＩＤ１２ａ、施設固有情報１２ｂ、施設位置情報１２ｃを記憶する機能を持つ。
【００２２】
図４は、上述した通信システムに備えられる携帯端末１１に係る端末情報のデータ構成を示す図である。図４を参照すれば、携帯端末１１で扱われる端末情報は、施設の情報を提供する複数施設装置ＩＤ１１ａを含んでいる。この複数施設装置ＩＤ１１ａは、施設装置１２と通信可能な複数の携帯端末１１からの情報を受信可能とするもので、通信数分用意されることを示す。また、端末情報は、複数の施設装置１２から取得した施設固有情報のデータを示す複数施設固有情報１１ｂを含んでいる。この複数施設固有情報１１ｂは、下記の複数施設位置情報１１ｃとペアで取得されるものであり、施設装置ＩＤによって関連付けされる。
【００２３】
更に、端末情報は、複数の施設装置１２から取得した施設位置情報のデータを示す複数施設位置情報１１ｃを含んでいる。この複数施設位置情報１１ｃは、上記複数施設固有情報とペアで取得されるものであり、施設装置ＩＤによって関連付けされる。加えて、端末情報は、電子地図管理装置１３から取得した電子地図のデータを示す地図情報１１ｄを含んでいる。この地図情報１１ｄは、保持している施設装置１２に係る施設情報を表示するのに使用する。その他、端末情報は、施設の接近通知可否、情報の送信可否等の通信システムの利用時におけるユーザ設定を保持するためのデータを示すユーザ個人情報１１ｅを含んでいる。
【００２４】
図５は、上述した携帯端末１１の基本構成を示す機能ブロック図である。図５を参照すれば、携帯端末１１は、機能ブロック上で位置情報取得部１１１、表示制御部１１２、情報保持部１１３、及び通信部１１４を備える。携帯端末１１は、施設装置１２からの接近通知時に自機器の現在の位置情報の送信後の施設装置１２からの施設情報の受信、自機器で保持する情報を電子地図管理装置１３から取得した電子地図の情報への変換、及びそのソフトウェア内容の変更を行う機能を持つ。因みに、携帯端末１１が自機器で保持する情報を電子地図の情報へ変換する処理はコンバート、電子地図の情報のソフトウェア内容の変更はアップデートと呼ばれても良い。
【００２５】
このうち、位置情報取得部１１１は、ＧＰＳ機能を備える任意な他機器からの位置情報を取得する機能を持つ。表示制御部１１２は、電子地図管理装置１３から施設情報を含む電子地図を転送保存して表示画面上に表示する制御を行う機能を持つ。情報保持部１１３は、施設情報保持部１１３ａ、地図情報保持部１１３ｂ、及びユーザ情報保持部１１３ｃを備える。施設情報保持部１１３ａは、施設装置１２から送信された施設情報を保持する機能を持つ。地図情報保持部１１３ｂは、電子地図管理装置１３から送信された電子地図情報を保持する機能を持つ。ユーザ情報保持部１１３ｃは、通信システムの利用時における施設情報の更新を行うユーザ情報を保持する機能を持つ。
【００２６】
通信部１１４は、位置情報送信部１１４ａ、施設情報取得部１１４ｂ、及び登録要求送信部１１４ｃを備える。位置情報送信部１１４ａは、上述した位置情報送信手段に該当し、施設装置１２との距離が所定の通信範囲にあるときに自機器の現在の位置情報を施設装置１２へ送信する機能を持つ。施設情報取得部１１４ｂは、上述した施設情報取得手段に該当し、自機器の現在の位置情報を施設装置１２における通信部１２２が受信して記憶部１２３に記憶してから通信部１２２が送信した施設情報を取得する機能を持つ。登録要求送信部１１４ｃは、上述した登録要求送信手段に該当し、施設情報取得部１１４ｂで取得した施設情報の登録要求を電子地図管理装置１３へ送信する機能を持つ。因みに、上述した表示制御部１１２は、登録要求送信部１１４ｃによる施設情報の登録要求後に電子地図管理装置１３からその施設情報を含む電子地図を転送保存して表示画面上で表示する制御を行うことになる。
【００２７】
図６は、上述した施設装置１２に備えられる電子地図管理装置１３に係る電子地図情報のデータ構成を示す図である。図６を参照すれば、電子地図管理装置１３で扱われる電子地図情報は、施設の情報を提供した複数施設装置ＩＤ１３ａを含んでいる。この複数施設装置ＩＤ１３ａは、施設装置１２と通信可能な複数の携帯端末１１からの情報を受信可能とするためのもので、通信した数だけ用意されることを示す。また、電子地図情報は、複数の施設装置１２から取得した施設固有情報のデータを示す複数施設固有情報１３ｂを含んでいる。この複数施設固有情報１３ｂは、下記の複数施設位置情報１３ｃとペアで取得されるものであり、施設装置ＩＤによって関連付けされる。
【００２８】
更に、電子地図情報は、複数の施設装置１２から取得した施設位置情報のデータを示す複数施設位置情報１３ｃを含んでいる。この複数施設位置情報１３ｃは、上記複数施設固有情報とペアで取得されるものであり、施設装置ＩＤによって関連付けされる。加えて、電子地図情報は、電子地図管理装置１３から取得した電子地図のデータを示す地図情報１３ｄを含んでいる。この地図情報１３ｄは、保持している施設装置１２の施設情報を表示するのに使用する。その他、電子地図情報は、通信システムを利用して施設情報更新を行うユーザ情報の保持データを示すユーザ一覧情報１３ｅを含んでいる。このユーザ一覧情報１３ｅは、例えば通信システムを利用するために登録したユーザアカウント、各種通知を受け取るためのメールアドレス等が保持される。その他、他のＳＮＳ（Ｓｏｃｉａｌ  Ｎｅｔｗｏｒｋｉｎｇ  Ｓｅｒｖｉｃｅ）サービスと連携するためのアカウント情報が保持されても良い。
【００２９】
図７は上述した電子地図管理装置１３の基本構成を示す機能ブロック図である。図７を参照すれば、電子地図管理装置１３は、機能ブロック上で複数の携帯端末１１からの情報を受信する通信部１３１と、携帯端末１１からの情報を統括して処理する情報処理部１３２と、情報処理部１３２で統括された情報を保持する情報保持部１３３と、を備える。その他、電子地図管理装置１３は、電子地図のデータを保管する電子地図保管部１３４を備えて構成される。情報処理部１３２は電子地図保管部１３４で保管している電子地図のデータ上に情報保持部１３３で保持された情報を付加して通信部１３１を経由して施設情報の登録要求を行った携帯端末１１へ配布送信する。
【００３０】
図８は、実施例に係る通信システムにおける各部間の通信シーケンスを示す図である。図８を参照すれば、通信システムの通信シーケンスでは、前提条件として、まず施設管理者により施設装置１２に対して「１：施設装置設置」を行う。この後、携帯端末１１を所持するユーザが携帯端末１１に対して「２：アプリケーションをインストール」する。更に、ユーザが携帯端末１１に対して「３：個人設定」を行い、これを受けてアプリケーション上で「３．１：個人設定の保存」を行う。また、施設管理者は、先の「１：施設装置設置」の後に「４：施設固有情報の入力」を行う。
【００３１】
こうした前提条件を経て、ユーザが携帯端末１１を携帯して「５：持ち歩き」、やがては或る施設装置１２に対して「５．１：接近」すると、施設装置１２がその携帯端末１１に対して「５．１．１：接近を通知」する。通知を受けた携帯端末１１はアプリケーション上で自機器への「５．１．１．１：位置情報要求」が行われ、携帯端末１１はアプリケーションへ現在の位置情報送信を行う。このとき、携帯端末１１はアプリケーション上で施設装置１２に対して「５．１．１．２：施設情報要求・位置情報送信」を行い、施設装置１２では「５．１．１．２．１：施設位置情報の保存・更新」を行う。この後はその携帯端末１１へ「施設固有情報・施設位置情報送信」を行う。これを受けた携帯端末１１はアプリケーション上で電子地図管理装置１３に対して「５．１．１．３：施設情報更新」を行う。
【００３２】
要するに、実施例に係る通信システムでは、施設装置１２が携帯端末１１から受信した現在の位置情報に基づいて自装置の施設位置情報を更新して保存し、自装置が保持する施設固有情報と施設位置情報とを携帯端末１１へ送信する。これにより、施設位置情報を取得した携帯端末１１は、アプリケーションに従って電子地図管理装置１３と連携し、必要な情報を電子地図の情報に対して追加・更新することができる。換言すれば、実施例に係る通信システムによれば、各種施設装置１２の正確な施設位置情報を自動的に取得・更新して電子地図の情報へ反映させることができる。この結果、ユーザや施設管理者が操作することなく、電子地図管理装置１３が提供する電子地図の情報で施設装置１２の施設位置情報が携帯端末１１を所持するユーザの接近がある都度に更新され、即時性のある電子地図の情報を自動的に提供できるようになる。
【００３３】
図９は、実施例に係る通信システムに備えられる携帯端末１１の表示画面上に表示される施設装置１２の施設固有情報と施設位置情報とが反映される前の電子地図を例示した図である。
【００３４】
図９を参照すれば、ここでの電子地図は、電子地図管理装置１３から取得した或る市街地域の様子を示しており、施設装置１２の施設固有情報と施設位置情報とが反映されていないため、主要な道路名の△△ロードや目立つ建物の○○ビルのみが表記されただけとなっている。
【００３５】
図１０は、実施例に係る通信システムに備えられる携帯端末１１の表示画面上に表示される施設装置１２の施設固有情報と施設位置情報とが反映された後の電子地図を例示した図である。
【００３６】
図１０を参照すれば、ここでの電子地図は、電子地図管理装置１３から取得した或る市街地域の様子として、施設装置１２の施設固有情報と施設位置情報とが反映された様子を示している。具体的に云えば、建物の○○ビルの区画域には施設位置情報が指定された上、施設固有情報として施設名：○○商業ビル、フロア案内ＵＲＬ、会議室レンタル案内ＵＲＬ、…、ｅｔｃが表記されている。また、△△ロードの右側奥区画域には施設位置情報が指定された上、施設固有情報として施設名：公衆便所、利用可能人数：男性６人、女性３人、…、ｅｔｃが表記されている。
【００３７】
ところで、実施例に係る通信システムの技術的要旨は、通信情報処理方法として換言することができる。この通信情報処理方法における位置情報送信ステップ、施設情報取得ステップ、登録要求送信ステップ、及び表示制御ステップの各ステップは、コンピュータが実行するためのプログラムとしても構築できるものである。具体的に云えば、位置情報送信ステップは、携帯端末１１に備えた位置情報送信手段により、施設装置１２との距離が所定の通信範囲にあるときに携帯端末１１の現在の位置情報を施設装置１２へ送信するものである。施設情報取得ステップは、携帯端末１１に備えた施設情報取得手段により、携帯端末１１の現在の位置情報を受信した施設装置１２から送信される施設情報を取得するものである。登録要求送信ステップは、携帯端末１１に備えた登録要求送信手段により、施設情報取得ステップで取得した施設情報の登録要求を電子地図管理装置１３へ送信するものである。その他、施設装置１２に備えた施設情報を識別可能に記憶する記憶手段により、位置情報送信ステップでの携帯端末１１の現在の位置情報の受信に基づき、位置情報を記憶する記憶ステップを有しても良い。
【００３８】
尚、図１を参照して実施例で説明した通信システムの構成はあくまでも一例であり、携帯端末１１や施設装置１２は複数台でも良く、用途や目的に応じて様々に構成を変更できるため、開示した形態に限定されないことは言うまでもない。
【００３９】
図１１は、上述した施設装置１２、携帯端末１１、電子地図管理装置１３のハードウェア構成を示す概略ブロック図である。図１１を参照すれば、これらの機器のハードウェア構成では、アンテナ２０１、ＣＰＵ２０２、メモリ２０３、インターフェース（Ｉ／Ｆ）２０４が共通バス２０５を介して接続される。この他、共通バス２０５に接続されるように操作部２０６及び表示部２０７が具備されてパーソナルコンピュータ仕様やサーバ仕様として構成される。アンテナ２０１は相手機器との間で無線通信を行う。ＣＰＵ２０２は、操作部２０６の操作指示に応じて各種情報をアンテナ２０１を介して無線通信したり、或いはメモリ２０３への記憶処理や表示部２０７への表示処理を制御する。メモリ２０３はＣＰＵ２０２の制御を受けて情報処理された各種情報を記憶したり、或いは格納するために用いられる。インターフェース２０４は外部機器を接続するために具備される。
【００４０】
具体的に云えば、施設装置１２は、図３を参照して説明した機能ブロックの各部により図８を参照して説明したシーケンスの処理を実行する。このため、メモリ２０３には係るシーケンスに該当するＣＰＵ２０２が読み取って実行する処理プログラムが記憶され、アンテナ２０１にはセンサ部１２１の機能が持たされる。また、電子地図管理装置１３は、図７を参照して説明した機能ブロックの各部により図８を参照して説明したシーケンスの処理を実行する。ここでもメモリ２０３には係るシーケンスに該当するＣＰＵ２０２が読み取って実行する処理プログラムが記憶される。更に、携帯端末１１は、図５を参照して説明した機能ブロックの各部により図８を参照して説明したシーケンスの処理を実行する。ここでもメモリ２０３には係るシーケンスに該当するＣＰＵ２０２が読み取って実行する処理プログラムが記憶される。これらの機器におけるメモリ２０３としては、処理プログラム格納用のＲＯＭ、アプリケーションプログラムのソフトウェアや通信処理に必要な情報記憶用のＲＡＭ、電子地図等の大容量情報格納用のＨＤＤ等を例示できる。但し、携帯端末１１については、ＨＤＤではなくてフラッシュメモリ等が用いられる他、操作部２０６は表示部２０７の表示画面内でタッチパネル式としてガイド表示される構成であっても良い。
【符号の説明】
【００４１】
１１  携帯端末
１２  施設装置
１３  電子地図管理装置
１１１  位置情報取得部
１１２  表示制御部
１１３  情報保持部
１１３ａ  施設情報保持部
１１３ｂ  地図情報保持部
１１３ｃ  ユーザ情報保持部
１１４、１２２、１３１  通信部
１１４ａ  位置情報送信部
１１４ｂ  施設情報取得部
１１４ｃ  登録要求送信部
１２１  センサ部
１２３  記憶部
１３２  情報処理部
１３３  情報保持部
１３４  電子地図保管部
２０１  アンテナ
２０２  ＣＰＵ
２０３  メモリ
２０４  インターフェース（Ｉ／Ｆ）
２０５  共通バス
２０６  操作部
２０７  表示部
【先行技術文献】
【特許文献】
【００４２】
【特許文献１】特開２００５−２２３４３６号公報
【図１】
2018097113.tif 000003
【図２】
2018097113.tif 000004
【図３】
2018097113.tif 000005
【図４】
2018097113.tif 000006
【図５】
2018097113.tif 000007
【図６】
2018097113.tif 000008
【図７】
2018097113.tif 000009
【図８】
2018097113.tif 000010
【図９】
2018097113.tif 000011
【図１０】
2018097113.tif 000012
【図１１】
2018097113.tif 000013